(57)【要約】【課題】使用方法の説明をより効率的に行うことができる表示操作装置、この表示操作装置を備える成形機、および、この表示操作装置を備える工作機械を提供する。【解決手段】表示操作装置２０は、表示部２１に表示されている画面の画像データ情報Ｄ１および当該画面を特定する画面特定情報Ｄ２を含む画面情報Ｄ２を生成する。さらに、表示操作装置２０は、画面情報Ｄが外部から入力されたとき、当該画面情報Ｄに含まれる画面特定情報Ｄ２により特定される画面を表示部２１に表示する。【選択図】図１０
2017189938.tif 000002
【特許請求の範囲】
【請求項１】
表示部と、操作部と、複数種類の画面の中から前記操作部に入力された画面選択操作により選択される１つの画面を前記表示部に表示する表示制御部と、を有する表示操作装置であって、
前記操作部に画面情報出力操作が入力されたとき、前記表示部に表示されている画面の画像データ情報および当該画面を特定する画面特定情報を含む画面情報を生成する画面情報生成部と、
前記画面情報を外部に出力する画面情報出力部と、
前記画面情報が外部から入力される画面情報入力部と、を有し、
前記表示制御部が、前記画面情報入力部に前記画面情報が入力されたとき、当該画面情報に含まれる前記画面特定情報により特定される前記画面を前記表示部に表示することを特徴とする表示操作装置。
【請求項２】
請求項１に記載の表示操作装置において、
前記表示制御部が、前記画面情報入力部に前記画面情報が入力されたとき、当該画面情報に含まれる前記画面特定情報により特定される前記画面を前記表示部に表示するとともに、前記画面情報に含まれる前記画像データ情報により表される画像を当該画面の手前に重ねて表示する表示操作装置。
【請求項３】
請求項１または請求項２に記載の表示操作装置において、
前記表示制御部が、前記画面情報生成部により前記画面情報が生成されたとき、当該画面情報に含まれる前記画像データ情報により表される画像を前記表示部に表示されている画面の手前に重ねて表示する表示操作装置。
【請求項４】
請求項２または請求項３に記載の表示操作装置において、
前記表示制御部が、前記画像データ情報により表される前記画像を前記表示部に表示されている画面の大きさより縮小して表示する表示操作装置。
【請求項５】
請求項２〜請求項４のいずれか一項に記載の表示操作装置において、
前記表示制御部が、前記操作部に入力された描画操作に応じて前記画像上に描画し、
前記画面情報生成部が、前記画面情報に含まれる前記画像データ情報を前記表示制御部により描画された画像を表す新たな画像データ情報に更新する表示操作装置。
【請求項６】
請求項５に記載の表示操作装置において、
前記表示制御部が、前記操作部に入力された画像消去操作に応じて前記画像の一部または全部を消去する表示操作装置。
【請求項７】
請求項１〜請求項６のいずれか一項に記載の表示操作装置と、
前記表示操作装置に入力された操作に応じて動作する成形装置と、を備えたことを特徴とする成形機。
【請求項８】
請求項１〜請求項６のいずれか一項に記載の表示操作装置と、
前記表示操作装置に入力された操作に応じて動作する工作装置と、を備えたことを特徴とする工作機械。
【発明の詳細な説明】
【技術分野】
【０００１】
本発明は、例えば、射出成形機やダイカストマシン等の成形機などが備える表示操作装置、この表示操作装置を備える成形機、および、この表示操作装置を備える工作機械に関する。
【背景技術】
【０００２】
特許文献１に開示されている制御装置は、射出成形機に表示された画面の画像データを外部記憶媒体に出力するものである。この制御装置は、画像データを出力する際に、射出成形機で作業を行った日時、射出成形機の機械番号、および、作業者名などの情報を含めて出力する。
【先行技術文献】
【特許文献】
【０００３】
【特許文献１】特開２０１５−１９９２４９号公報
【発明の概要】
【発明が解決しようとする課題】
【０００４】
このようにして出力された画像データは、例えば、射出成形機の製造メーカーがその射出成形機を購入した利用者から使用方法の問い合わせなどがあった場合に、製造メーカー側の射出成形機において必要な画面を表示して画像データを出力するとともに、その画像データを利用者に送って使用方法を説明するために利用される。
【０００５】
しかしながら、射出成形機に不慣れな利用者の場合、単に画像データを送るのみではその画像データに対応する画面を利用者側の射出成形機で表示させるまでの手順がわからず、そのため、画像データとは別に画面表示手順の説明が必要となり、使用方法の説明が煩雑になるおそれがあった。
【０００６】
そこで、本発明は、使用方法の説明をより効率的に行うことができる表示操作装置、この表示操作装置を備える成形機、および、この表示操作装置を備える工作機械を提供することを目的とするものである。
【課題を解決するための手段】
【０００７】
上記目的を達成するために、本発明の一態様の表示操作装置は、表示部と、操作部と、複数種類の画面の中から前記操作部に入力された画面選択操作により選択される１つの画面を前記表示部に表示する表示制御部と、を有する表示操作装置であって、前記操作部に画面情報出力操作が入力されたとき、前記表示部に表示されている画面の画像データ情報および当該画面を特定する画面特定情報を含む画面情報を生成する画面情報生成部と、前記画面情報を外部に出力する画面情報出力部と、前記画面情報が外部から入力される画面情報入力部と、を有し、前記表示制御部が、前記画面情報入力部に前記画面情報が入力されたとき、当該画面情報に含まれる前記画面特定情報により特定される前記画面を前記表示部に表示することを特徴とする。
【０００８】
本発明によれば、表示部に表示された画面の画像データ情報および当該画面を特定する画面特定情報を含む画面情報が外部から入力されたとき、当該画面情報に含まれる画面特定情報により特定される画面を表示部に表示する。このようにしたことから、例えば、表示操作装置によって出力された画面情報を他の表示操作装置に入力するだけで、当該他の表示操作装置において目的の画面を表示することができるので、その画面を表示するための手順説明を省くことができる。
【０００９】
本発明においては、前記表示制御部が、前記画面情報入力部に前記画面情報が入力されたとき、当該画面情報に含まれる前記画面特定情報により特定される前記画面を前記表示部に表示するとともに、前記画面情報に含まれる前記画像データ情報により表される画像を当該画面の手前に重ねて表示するようにすることが好ましい。このようにすることで、表示部に表示されている画面と同じ種類の画面に対応する画像を手前に表示するので、この画像を参照しつつ表示部に表示されている画面を確認することができる。
【００１０】
本発明においては、前記表示制御部が、前記画面情報生成部により前記画面情報が生成されたとき、当該画面情報に含まれる前記画像データ情報により表される画像を前記表示部に表示されている画面の手前に重ねて表示することが好ましい。このようにすることで、画面情報に含めて出力する画像データ情報により表される画像をあらかじめ確認することができるので、誤った画面情報を出力してしまうことを抑制できる。
【００１１】
本発明においては、前記表示制御部が、前記画像データ情報により表される前記画像を前記表示部に表示されている画面の大きさより縮小して表示することが好ましい。このようにすることで、手前に表示されている画像の大きさとその背後に表示されている画面の大きさとを異ならせてこれらを明確に区別することができるので、手前に表示されている画像を操作可能な画面と勘違いしてしまうことを抑制できる。
【００１２】
本発明においては、前記表示制御部が、前記操作部に入力された描画操作に応じて前記画像上に描画し、前記画面情報生成部が、前記画面情報に含まれる前記画像データ情報を前記表示制御部により描画された画像を表す新たな画像データ情報に更新するようにすることが好ましい。このようにすることで、例えば、画像に描画することで注目すべき箇所を目立たせることができるので、使用方法の説明をより一層効率的に行うことができる。
【００１３】
本発明においては、前記表示制御部が、前記操作部に入力された画像消去操作に応じて前記画像の一部または全部を消去するようにすることが好ましい。このようにすることで、例えば、消去した部分にメモなどを書き込むことができるので、使用方法の説明をより一層効率的に行うことができる。
【００１４】
上記目的を達成するために、本発明の他の一態様の成形機は、上記表示操作装置と、前記表示操作装置に入力された操作に応じて動作する成形装置と、を備えたことを特徴とする。本発明のさらに他の一態様の工作機械は、上記表示操作装置と、前記表示操作装置に入力された操作に応じて動作する工作装置と、を備えたことを特徴とする。
【００１５】
本発明によれば、上記表示操作装置を備えていることから、例えば、表示操作装置によって出力された画面情報を他の表示操作装置に入力するだけで、当該他の表示操作装置において目的の画面を表示することができるので、その画面を表示するための手順説明を省くことができる。
【発明の効果】
【００１６】
本発明によれば、使用方法の説明をより効率的に行うことができる
【図面の簡単な説明】
【００１７】
【図１】本発明の一実施形態に係る射出成形機の正面図である。
【図２】図１の射出成形機が備える表示操作装置の正面図である。
【図３】図１の射出成形機の概略構成を示す機能ブロック図である。
【図４】図２の表示操作装置の表示部に表示される画面選択メニューの一例を示す図である。
【図５】図２の表示操作装置の表示部に射出可塑化画面が表示されている状態の一例を示す図である。
【図６】図２の表示操作装置の表示部にキャプチャー画像表示ウインドウおよび描画ツールウインドウが表示されている状態の一例を示す図である。
【図７】図２の表示操作装置の表示部に表示されたキャプチャー画像表示ウインドウの画像表示領域に描画されている状態の一例を示す図である。
【図８】図２の表示操作装置の表示部に表示されたキャプチャー画像表示ウインドウの画像表示領域に描画されている状態の他の一例を示す図である。
【図９】図２の表示操作装置の表示部に型開閉・エジェクト画面が表示されている状態の一例を示す図である。
【図１０】図２の表示操作装置の表示部に読込画像表示ウインドウおよび描画ツールウインドウが表示されている状態の一例を示す図である。
【発明を実施するための形態】
【００１８】
以下、本発明の一実施形態に係る射出成形機について、各図を参照して説明する。
【００１９】
図１は、本発明の一実施形態に係る射出成形機の正面図である。図２は、図１の射出成形機が備える表示操作装置の正面図である。図３は、図１の射出成形機の概略構成を示す機能ブロック図である。図４は、表示操作装置の表示部に表示される画面選択メニューの一例を示す図である。図５は、表示操作装置の表示部に射出可塑化画面が表示されている状態の一例を示す図である。図６は、表示操作装置の表示部にキャプチャー画像表示ウインドウおよび描画ツールウインドウが表示されている状態の一例を示す図である。図７は、表示操作装置の表示部に表示されたキャプチャー画像表示ウインドウの画像表示領域に描画されている状態の一例を示す図である。図８は、図２の表示操作装置の表示部に表示されたキャプチャー画像表示ウインドウの画像表示領域に描画されている状態の他の一例を示す図である。図９は、図２の表示操作装置の表示部に型開閉・エジェクト画面が表示されている状態の一例を示す図である。図１０は、図２の表示操作装置の表示部に読込画像表示ウインドウおよび描画ツールウインドウが表示されている状態の一例を示す図である。
【００２０】
図１に示すように、射出成形機１は、工作装置としての成形装置１０と、表示操作装置２０と、を備えている。
【００２１】
成形装置１０は、例えば、（１）加熱シリンダ、（２）加熱シリンダ内に回転可能かつ前後進可能に収納されたスクリュー、（３）加熱シリンダの末端側に備えられ、スクリューの溝内に原料樹脂を供給するホッパ、（４）加熱シリンダの先端側に備えられ、金型が設置される型締装置、（５）加熱シリンダを加熱するバンドヒータ、（６）スクリューを回転させる駆動部、（７）スクリューを前後進移動させる駆動部、（８）型締装置において金型の開閉、成形品の突出し（エジェクト）を行うための駆動部、（９）上記（１）〜（８）に含まれる駆動部を駆動するドライバ群、（１０）射出成形に係る各種情報を検出するセンサ群、および（１１）コントローラ、などを有している。
【００２２】
成形装置１０のコントローラは、成形装置１０の全体の動作を司る機能部であり、コンピュータを有して構成されている。成形装置１０のコントローラは、例えば、可塑化動作、射出動作、型開閉動作、エジェクト動作等の成形行程全体の制御や、センサ群の実測値の演算・格納処理、良品／不良品の判定処理、異常判定処理等の演算・判定処理などの射出成形に係る一連の射出成形動作を実行する。さらに、成形装置１０のコントローラは、後述する表示操作装置２０と通信可能に接続されており、表示操作装置２０に各種表示情報を送信するとともに、表示操作装置２０から各種機能実行指令情報を受信する。
【００２３】
表示操作装置２０は、図２、図３に示すように、表示部２１と、操作部としてのタッチパネル２２と、多機能操作スイッチ４１〜５０と、モード操作スイッチ５１〜５５と、共用操作スイッチ５６と、ＬＥＤ５７と、画像情報出力部および画像情報入力部としての入出力部５８と、制御部６０と、ケース７０と、を有している。
【００２４】
表示部２１は、例えば、液晶ディスプレイや有機ＥＬディスプレイなどのフラットパネルディスプレイで構成されている。表示部２１は、後述する制御部６０から出力された表示制御情報に基づき、数値や画像、グラフ等の各種情報、および、キーボード、テンキー、操作ボタン等の各種操作スイッチ画像などを表示する。表示部２１は、縦長に配置されたケース７０の正面部７１の中央に縦長となるように配置されている。
【００２５】
表示部２１は、図２に示すように、表示領域が、上から順に画面タイトル領域２１ａ、モニター値表示領域２１ｂ、メイン画面領域２１ｃ、サブ画面領域２１ｄ、操作スイッチ領域２１ｅおよび機能ラベル表示領域２１ｆの６つの領域に分割される。
【００２６】
画面タイトル領域２１ａには、例えば、表示している画面の名称（タイトル）および当該画面に割り当てられた画面番号が表示される。
【００２７】
モニター値表示領域２１ｂには、例えば、成形装置１０のセンサ群によって検出された射出成形動作に係る各種検出値などが表示される。
【００２８】
メイン画面領域２１ｃには、各種動作画面等が表示される。また、メイン画面領域２１ｃには、例えば、図４に示すように行列配置（マトリクス配置）された複数の操作ボタンＳ［ｉｊ］（ｉ＝１〜１０、ｊ＝１〜６）を有する画面選択メニューＧｍが表示される。
【００２９】
サブ画面領域２１ｄには、メイン画面領域２１ｃに表示された動作画面に示される内容を補助するため画面（例えば、アニメーション等の図形など）が表示される。
【００３０】
操作スイッチ領域２１ｅには、メイン画面領域２１ｃまたはサブ画面領域２１ｄに表示されている内容に応じたスライドスイッチや操作ボタンなどの操作スイッチ画像が表示される。例えば、操作スイッチ領域２１ｅには、画面キャプチャーボタン２１ｅ１や画像読込ボタン２１ｅ２（図５）などの操作スイッチ画像が表示される。
【００３１】
機能ラベル表示領域２１ｆには、多機能操作スイッチ４１〜５０に割り当てられている機能を示す機能ラベルが各多機能操作スイッチ４１〜５０に対応するように表示される。なお、これら表示領域は一例であって、各表示領域の表示内容は別のものであってもよく、表示領域の分割構成を変更してもよい。
【００３２】
タッチパネル２２は、表示部２１の表示面に重ねて配置されている。タッチパネル２２には、オペレータなどの利用者によって接触操作が入力される。ここで、接触操作には、例えば、タップ（指やタッチ操作ペンなどの操作体Ｆで比較的短い期間接触する）、ロングタップ（操作体Ｆで比較的長い期間接触する）、フリック（操作体Ｆを接触して所定方向に短く払う（短くスライドする））、スワイプ（タッチパネルの表面に接触させた操作体Ｆを接触させたまま一方向に滑らせつつタッチパネルの表面から離す）およびドラッグ（タッチパネルの表面に接触させた操作体Ｆを接触させたまま滑らせる）などがある。
【００３３】
後述する制御部６０は、表示部２１に表示された操作スイッチ画像をタッチパネル２２と組み合わせることによりソフトウエア的に実現したソフトウエア操作スイッチとして機能させる。以下、タッチパネル２２における表示部２１に表示された操作スイッチ画像に対応する箇所をタップすることを、単に「操作ボタンをタップする」という。ドラッグなどの他の操作についても同様である。
【００３４】
多機能操作スイッチ４１〜５０は、ハードウエア操作スイッチであり、本実施形態では、正面視四角形の押しボタンスイッチを採用している。ハードウエア操作スイッチとは、機械的要素を含む操作スイッチであって、例えば、押しボタンスイッチやトグルスイッチ、スライドスイッチなどを含む。多機能操作スイッチ４１〜５０は、ケース７０の正面部７１の下縁部７２に横方向（水平方向）に一列に並べて配置されている。
【００３５】
本実施形態において、多機能操作スイッチ４１〜５０に割り当てられるべき機能は２０種類あり、これら２０種類の機能が第１の機能グループＦ１および第２の機能グループＦ２に振り分けられている。そして、多機能操作スイッチ４１〜５０は、タッチパネル２２の下部（機能ラベル表示領域２１ｆに対応する箇所）に入力された機能グループ選択操作（右スワイプまたは左スワイプ）により選択された機能グループに含まれる機能が動的に割り当てられる。また、表示部２１の機能ラベル表示領域２１ｆには、選択されている機能グループに含まれる機能を示す機能ラベルが、多機能操作スイッチ４１〜５０のそれぞれに対応するように表示される。
【００３６】
第１の機能グループＦ１に含まれる機能は、「型開」、「型閉」、「ＥＪ後退」（エジェクタ後退）、「ＥＪ前進」（エジェクタ前進）、「射出」、「可塑化」、「ＮＺ前進」（ノズル前進）、「ＮＺ後退」（ノズル後退）、「型厚後退」、「型厚前進」である。第１の機能グループＦ１が選択されているとき、これら機能が多機能操作スイッチ４１〜５０のそれぞれに割り当てられる。第１の機能グループＦ１には、赤色が対応づけられている。
【００３７】
第２の機能グループＦ２に含まれる機能は、「中子１戻」、「中子１入」、「中子２戻」、「中子２入」、「中子３戻」、「中子３入」、「エア１」、「エア２」、「エア３」、「エア４」である。第２の機能グループＦ２が選択されているとき、これら機能が多機能操作スイッチ４１〜５０のそれぞれに割り当てられる。第２の機能グループＦ２には、黄色が対応づけられている。
【００３８】
モード操作スイッチ５１〜５５は、ハードウエア操作スイッチであり、本実施形態では、正面視円形の押しボタンスイッチを採用している。モード操作スイッチ５１〜５５は、ケース７０の正面部７１の一方の側縁部７３に縦方向（鉛直方向）に一列に並べて配置されている。モード操作スイッチ５１〜５５には、順に「ＯＦＦモード」、「交換モード」、「手動モード」、「半自動モード」および「全自動モード」へ切り替える機能が割り当てられている。
【００３９】
「ＯＦＦモード」とは、成形装置１０の動作を停止するモードであり、例えば、他の動作モードにあるときにＯＦＦモードに切り替えられると成形装置１０の動作が停止される。また、ＯＦＦモードにおいて成形条件などの設定を行う。「交換モード」とは金型の交換や加熱シリンダからのスクリュー抜きなどの段取り作業時に、型開から成形体のエジェクトまでの１つの動作サイクルにおける各動作の調整を行うモードである。交換モードは、各動作を低圧・低速で行う。「手動モード」とは、多機能操作スイッチ４１〜５０を用いて成形装置１０の型開や型閉などの動作を手動で行うモードである。「半自動モード」とは、成形装置１０において、１つの動作サイクルを実行する毎に停止するモードである。「全自動モード」とは、あらかじめ設定した実行数の動作サイクルを連続して実行することにより、成形体を連続して製造する全自動運転のモードである。
【００４０】
共用操作スイッチ５６は、ハードウエア操作スイッチであり、本実施形態では、正面視円形の押しボタンスイッチを採用している。共用操作スイッチ５６は、ケース７０の正面部７１の右下の箇所に配置されている。共用操作スイッチ５６には、動作モードに関連する機能および主に成形装置１０の駆動部等の動作をともなう機能などが動的に割り当てられる。
【００４１】
ＬＥＤ５７は、左端の多機能操作スイッチ４１の左側に隣接して配置されている。ＬＥＤ５７は、赤色および黄色に発光可能な発光部５７ａを有している。ＬＥＤ５７は、後述する制御部６０から出力された発光制御情報に基づき、発光部５７ａを赤色または黄色に発光させ、具体的には、選択されている機能グループに対応付けられている色で発光させる。
【００４２】
入出力部５８は、例えば、フラッシュメモリカードやハードディスク装置などの外部記憶装置が接続可能な外部インターフェースを有しており、接続された外部記憶装置への情報の書き出し（出力）および外部記憶装置からの情報の読み出し（入力）を行う。これ以外にも、入出力部５８は、例えばネットワーク接続インターフェースを有し、ネットワークを介して他の装置との間で情報の送受信を行うようにしてもよい。
【００４３】
制御部６０は、表示操作装置２０の全体の動作を司る機能部であり、ＣＰＵ、ＲＯＭ、ＲＡＭおよび各種インターフェースを備えたコンピュータを有して構成されている。制御部６０は、表示部２１への出力画像の表示制御処理、タッチパネル２２、多機能操作スイッチ４１〜５０、モード操作スイッチ５１〜５５および共用操作スイッチ５６に入力された操作の処理等の各種処理を実行する。
【００４４】
制御部６０は、成形装置１０のコントローラからの各種表示情報を受信して、これら表示情報に基づく表示制御情報を表示部２１に出力し、タッチパネル２２、多機能操作スイッチ４１〜５０、モード操作スイッチ５１〜５５および共用操作スイッチ５６に入力された操作に応じた機能を実行するための機能実行指令情報を成形装置１０のコントローラに送信する。制御部６０は、入出力部５８を通じた各種情報の入出力処理を実行する。
【００４５】
制御部６０は、ＣＰＵがＲＯＭに格納された制御プログラムを実行することにより、表示制御部および画面情報生成部などの各種機能部として機能する。
【００４６】
制御部６０は、表示部２１に複数種類の画面Ｇを表示する。これら複数種類の画面Ｇは第１の画面グループＴ１〜第１０の画面グループＴ１０に振り分けられている。
【００４７】
具体的には、第１の画面グループＴ１は、射出・可塑化画面Ｇ［１１］、可塑化補助画面Ｇ［１２］、条件一覧画面Ｇ［１３］および画面選択画面Ｇ［１６］を含んでいる。第２の画面グループＴ２は、型開閉・ＥＪ画面Ｇ［２１］、中子画面Ｇ［２２］、エア画面Ｇ［２３］および型開閉オプション画面Ｇ［２４］を含んでいる。
【００４８】
第３の画面グループＴ３は、温度設定画面Ｇ［３１］およびヒータ自動投入画面Ｇ［３２］を含んでいる。第４の画面グループＴ４は、生産管理画面Ｇ［４１］、動作行程画面Ｇ［４２］、条件記憶画面Ｇ［４３］および設定履歴画面Ｇ［４４］を含んでいる。
【００４９】
第５の画面グループＴ５は、射出グラフ画面Ｇ［５１］、可塑化グラフ画面Ｇ［５２］、１サイクルグラフ画面Ｇ［５３］、１サイクルロジック画面Ｇ［５４］、１サイクルグラフ項目選択画面Ｇ［５５］および１サイクルロジック項目選択画面Ｇ［５６］を含んでいる。第６の画面グループＴ６は、モニタ画面Ｇ［６１］、モニタ項目画面Ｇ［６２］、モニタ表示画面Ｇ［６３］、モニタグラフ画面Ｇ［６４］およびモニタ予備画面Ｇ［６５］を含んでいる。
【００５０】
第７の画面グループＴ７は、交換画面Ｇ［７１］、ＩＯモニタ画面Ｇ［７２］、成形ナビ画面Ｇ［７４］、オプション確認画面Ｇ［７５］および成形条件診断画面Ｇ［７６］を含んでいる。第８の画面グループＴ８は、点検画面Ｇ［８１］およびアラーム履歴画面Ｇ［８２］を含んでいる。
【００５１】
第９の画面グループＴ９は、オプション動作画面Ｇ［９１］、オプション信号画面Ｇ［９２］、射出圧縮画面Ｇ［９３］およびゲートカット画面Ｇ［９４］を含んでいる。第１０の画面グループＴ１０は、パスワード画面Ｇ［１０１］、言語切替画面Ｇ［１０２］、通信ポート設定画面Ｇ［１０３］、時刻設定画面Ｇ［１０４］、単位設定画面Ｇ［１０５］およびメニュー２画面Ｇ［１０６］を含んでいる。
【００５２】
第１の画面グループＴ１〜第１０の画面グループＴ１０のそれぞれに含まれる画面Ｇ［ｉｊ］は、画面選択メニューＧｍの操作ボタンＳ［ｉｊ］に対応付けられている。すなわち、制御部６０は、操作ボタンＳ［ｉｊ］がタップされると（画面選択操作）、Ｓ［ｉｊ］に対応付けられた画面［ｉｊ］を表示部２１に表示する。なお、画面選択メニューＧｍの操作ボタンＳ［ｉｊ］のうち文字表示のない操作ボタンには対応する画面が存在せず、当該操作ボタンをタップしても画面選択メニューＧｍを表示したままとなる。
【００５３】
また、各画面Ｇ［ｉｊ］には、それを特定するための画面番号ｉｊが割り当てられている。
【００５４】
制御部６０は、操作スイッチ領域２１ｅに表示された画面キャプチャーボタン２１ｅ１および画像読込ボタン２１ｅ２とタッチパネル２２とを組み合わせることによりソフトウエア操作ボタンとして機能させる。以下に、制御部６０における画面キャプチャー動作および画像読込動作、ならびに、画面キャプチャー動作および画像読込動作における共通描画動作について説明する。
【００５５】
（画面キャプチャー動作）
制御部６０は、画面キャプチャーボタン２１ｅ１がタップされると、そのとき表示部２１に表示されている画面Ｇ［ｉｊ］全体の画像データ情報Ｄ１および当該画面Ｇ［ｉｊ］の画面番号ｉｊを示す画面特定情報Ｄ２を取得して、これら画像データ情報Ｄ１および画面特定情報Ｄ２を含む画面情報Ｄを生成する。画面情報Ｄは、例えば、データ形式としてＴＩＦＦ形式を採用し、既定の画像領域に画像データ情報Ｄ１を格納するとともに、ユーザ定義領域を新たに設けてそこに画面特定情報Ｄ２を格納する。または、画面情報Ｄは、データ形式としてＢＭＰ形式を採用し、画像データ情報Ｄ１をＢＭＰ形式のデータとするとともに、外部記憶装置などに記憶するときのファイル名に画面特定情報Ｄ２を含めるようにしてもよい。本発明の目的に反しない限り、画面情報Ｄのデータ形式は任意である。
【００５６】
そして、制御部６０は、画面情報Ｄの生成に続けて、図６に示すように、表示部２１にキャプチャー画像表示ウインドウ９０を表示する。キャプチャー画像表示ウインドウ９０は、ウインドウ枠内にタイトル領域９１および画像表示領域９２を有している。制御部６０は、タイトル領域９１にウインドウタイトル「キャプチャー画像」を表示し、画像表示領域９２に、画面情報Ｄに含まれる画像データ情報Ｄ１により表される画像ｇ［ｉｊ］を表示する。なお、タイトル領域９１を省略した構成としてもよい。
【００５７】
制御部６０は、キャプチャー画像表示ウインドウ９０を表示部２１の表示領域全体の大きさより小さく表示する。これにより、画像データ情報Ｄ１により表される画像ｇ［ｉｊ］が表示部２１に表示されている画面の大きさより縮小して表示される。また、キャプチャー画像表示ウインドウ９０は、タイトル領域９１をドラッグすることにより、表示部２１内での表示位置を移動できる。これにより、例えば、キャプチャー画像表示ウインドウ９０をその一部のみ表示部２１内に表示するように移動して、画像表示領域９２に表示されている画像を参照しながら、表示部２１に表示されている画面をより容易に確認することができる。制御部６０は、タイトル領域９１のクローズボタン９１ａがタップされると、キャプチャー画像表示ウインドウ９０および後述する描画ツールウインドウ９３を閉じる。
【００５８】
制御部６０は、キャプチャー画像表示ウインドウ９０の表示に続けて、その上に重ねて描画ツールウインドウ９３を表示する。描画ツールウインドウ９３については、後述する。
【００５９】
（画面読込動作）
制御部６０は、画像読込ボタン２１ｅ２がタップされると、図示しないファイル選択メニューを表示し、入出力部５８に接続された外部記憶装置からファイル選択メニューに入力された操作により選択された画面情報Ｄを読み込む。制御部６０は、この画面情報Ｄに含まれる画面特定情報Ｄ２を抽出し、図１０に示すように、この画面特定情報Ｄ２（すなわち画面番号ｉｊ）により特定される画面Ｇ［ｉｊ］を表示部２１に表示する。
【００６０】
制御部６０は、画面特定情報Ｄ２により特定される画面Ｇ［ｉｊ］の表示に続けて、表示部２１に読込画像表示ウインドウ１００を表示する。読込画像表示ウインドウ１００は、ウインドウ枠内にタイトル領域１０１および画像表示領域１０２を有している。制御部６０は、タイトル領域１０１にウインドウタイトル「読込画像」を表示し、画像表示領域１０２に、読み込んだ画面情報Ｄに含まれる画像データ情報Ｄ１により表される画像ｇ［ｉｊ］を表示する。なお、タイトル領域１０１を省略した構成としてもよい。
【００６１】
制御部６０は、読込画像表示ウインドウ１００を表示部２１の表示領域全体の大きさより小さく表示する。これにより、画像データ情報Ｄ１により表される画像ｇ［ｉｊ］が表示部２１に表示されている画面の大きさより縮小して表示される。また、読込画像表示ウインドウ１００は、タイトル領域１０１をドラッグすることにより、表示部２１内での表示位置を移動できる。これにより、例えば、読込画像表示ウインドウ１００をその一部のみ表示部２１内に表示するように移動して、画像表示領域１０２に表示されている画像ｇ［ｉｊ］を参照しながら、表示部２１に表示されている画面Ｇ［ｉｊ］をより容易に確認することができる。制御部６０は、タイトル領域１０１のクローズボタン１０１ａがタップされると、読込画像表示ウインドウ１００および後述する描画ツールウインドウ９３を閉じる。
【００６２】
制御部６０は、読込画像表示ウインドウ１００の表示に続けて、その上に重ねて描画ツールウインドウ９３を表示する。描画ツールウインドウ９３については、後述する。
【００６３】
（共通描画動作）
制御部６０は、キャプチャー画像表示ウインドウ９０および読込画像表示ウインドウに重ねて、描画ツールウインドウ９３を表示する。描画ツールウインドウ９３は、ウインドウ枠内にタイトル領域９４、色指定ボタン９５、線幅指定ボタン９６、消去ボタン９７および画像保存ボタン９８を有しており、各ボタン９５〜９８はタッチパネル２２と組み合わせることによりソフトウエア操作ボタンとして機能する。また、描画ツールウインドウ９３は、タイトル領域９４をドラッグすることにより、表示部２１内での表示位置を移動できる。
【００６４】
制御部６０は、色指定ボタン９５がタップされると、図示しない色指定メニューを表示し、この色指定メニューに入力された操作により選択された色を描画色として設定する。線幅指定ボタン９６についても同様にして、描画線幅を設定する。
【００６５】
制御部６０は、消去ボタン９７がタップされると、図示しない消去範囲指定メニューを表示し、この消去範囲指定メニューに入力された操作により選択された対象の画像を消去する。制御部６０は、例えば、消去ボタン９７がタップされるごとに描画した線画を時間順に遡って消去したり、ドラッグなどの操作により範囲が指定される（画像消去操作）と画像表示領域９２、１０２の一部（例えば、下半分、上半分、または、ユーザ指定範囲）を消去したり、ロングタップされる（画像消去操作）と画像表示領域９２、１０２の全部を消去したりする。なお、画像表示領域９２、１０２の一部または全部を消去する動作は、具体的には単一色（例えば白）で塗りつぶすことをいう。
【００６６】
制御部６０は、画像保存ボタン９８がタップされると（画面情報出力操作）、画像データ情報Ｄ１として、画像表示領域９２、１０２に表示されている画像に対応する画像データ情報を新たに取得し、この画像データ情報Ｄ１を含む画面情報Ｄを入出力部５８に接続された外部記憶装置に書き込む。制御部６０は、タイトル領域９４のクローズボタン９４ａがタップされると、描画ツールウインドウ９３を閉じる。
【００６７】
制御部６０は、キャプチャー画像表示ウインドウ９０および読込画像表示ウインドウ１００のいずれか一方と、描画ツールウインドウ９３とを表示部２１に表示した状態で、画像表示領域９２、１０２に重なるタッチパネル２２の箇所が操作体Ｆでなぞられると（描画操作）、操作体Ｆでなぞった軌跡に沿う形状でかつ設定されている描画色および描画線幅の線画を表示する。線画を表示した状態で画像保存ボタン９８がタップされると（画面情報出力操作）、制御部６０は、画像データ情報Ｄ１として、画像表示領域９２、１０２に表示されている線画を含む画像に対応する画像データ情報を新たに取得し、この画像データ情報Ｄ１を含む画面情報Ｄを入出力部５８に接続された外部記憶装置に書き込む。
【００６８】
次に、上述した射出成形機１の表示操作装置２０の動作の一例について、図４〜図１０を参照して説明する。この例は、製造者側において射出成形機１の画面情報Ｄを取得して利用者に送り、利用者側において製造者から送られた画面情報Ｄを利用者の射出成形機１に読み込ませるときの動作である。
【００６９】
（製造者側）
製造者側の射出成形機１において、電源が投入されて各種初期化処理が完了すると、表示操作装置２０の表示部２１のメイン画面領域２１ｃに図４に示す画面選択メニューＧｍを表示される。
【００７０】
画面選択メニューＧｍが表示された状態において、製造者が操作ボタンＳ［１１］をタップすると、図５に示すように、操作ボタンＳ［１１］に対応する画面Ｇ［１１］（射出可塑化画面）が表示部２１に表示される。
【００７１】
そして、製造者が操作スイッチ領域２１ｅの画面キャプチャーボタン２１ｅ１をタップすると、そのとき表示部２１に表示されている画面Ｇ［１１］全体の画像データ情報Ｄ１および当該画面Ｇ［１１］の画面番号（１１）を示す画面特定情報Ｄ２を含む画面情報Ｄが装置内部で生成される。さらに、図６に示すように、表示部２１にキャプチャー画像表示ウインドウ９０および描画ツールウインドウ９３が表示される。このキャプチャー画像表示ウインドウ９０の画像表示領域９２には、画像データ情報Ｄ１により表される画像ｇ［１１］（すなわち、画面Ｇ［１１］のキャプチャー画像）が表示されている。
【００７２】
キャプチャー画像表示ウインドウ９０および描画ツールウインドウ９３が表示部２１に表示されている状態で、製造者が画像表示領域９２に重なるタッチパネル２２の箇所を操作体Ｆで所望の形状になぞる。すると、図７に示すように、操作体Ｆでなぞった軌跡に沿う形状でかつ設定されている描画色および描画線幅の線画Ｍ１（囲み線１）および線画Ｍ２（囲み線２）が表示される。
【００７３】
続けて、製造者が、消去ボタン９７をタップして画像表示領域９２の下部Ｗを指定すると、当該下部Ｗの画像が消去され、さらに、色指定ボタン９５および線幅指定ボタン９６をタップして、描画色および描画線幅を指定する。そして、製造者が画像表示領域９２に重なるタッチパネル２２の箇所を操作体Ｆで所望の形状になぞると、図８に示すように、操作体Ｆでなぞった軌跡に沿う形状でかつ設定されている描画色および描画線幅の線画Ｍ３（矢印）および線画Ｍ４（数値「０．０１」）が表示される。すなわち、画像の一部をメモ領域とするために消去し、このメモ領域に連絡事項などを記入することができる。
【００７４】
そのあと、製造者が画像保存ボタン９８をタップすると（画面情報出力操作）、画像データ情報Ｄ１として、画像表示領域９２に表示されている、線画Ｍ１〜Ｍ４などを含む画像ｇ［１１］に対応する画像データ情報を含む画面情報Ｄが入出力部５８に接続された外部記憶装置に書き込まれる。製造者は、画面情報Ｄが書き込まれた外部記憶装置を利用者に送る。または、製造者は、ネットワークを通じて画面情報Ｄを利用者に送信してもよい。
【００７５】
（利用者側）
利用者側の射出成形機１において、例えば、図９に示すように、表示操作装置２０の表示部２１に画面Ｇ［２１］（型開閉・エジェクト画面）を表示部２１に表示しており、入出力部５８には製造者から送られた外部記憶装置が接続されている。この状態で、利用者が画像読込ボタン２１ｅ２をタップして、外部記憶装置に記憶された画面情報Ｄを選択する。すると、この画面情報Ｄが読み込まれ、図１０に示すように、表示部２１に、画面情報Ｄの画面特定情報Ｄ２により特定される画面Ｇ［１１］が表示されるとともに、この画面Ｇ［１１］に重ねて読込画像表示ウインドウ１００および描画ツールウインドウ９３が表示される。読込画像表示ウインドウ１００の画像表示領域１０２には、読み込んだ画面情報Ｄの画像データ情報Ｄ１により表される画像ｇ［１１］が表示されている。
【００７６】
読込画像表示ウインドウ１００および描画ツールウインドウ９３が表示部２１に表示されている状態で、利用者は画像表示領域１０２に重なるタッチパネル２２の箇所を操作体Ｆで所望の形状になぞることで、画像表示領域１０２に表示されている画像ｇ［１１］にさらに線画を記入することができ、線画を記入した画像ｇ［１１］を保存することもできる。
【００７７】
以上説明したように、本実施形態の射出成形機１によれば、表示部２１に表示された画面Ｇ［ｉｊ］の画像データ情報Ｄ１および当該画面Ｇ［ｉｊ］を特定する画面特定情報Ｄ２を含む画面情報Ｄが外部から入力されたとき、当該画面情報Ｄに含まれる画面特定情報Ｄ２により特定される画面Ｇ［ｉｊ］を表示部２１に表示する。このようにしたことから、例えば、製造者の射出成形機１の表示操作装置２０によって出力された画面情報Ｄを利用者の射出成形機１の表示操作装置２０に入力するだけで、当該他の射出成形機１の表示操作装置２０において目的の画面Ｇ［ｉｊ］を表示することができるので、その画面Ｇ［ｉｊ］を表示するための手順説明を省くことができる。
【００７８】
また、画面情報Ｄが入力されたとき、当該画面情報Ｄに含まれる画面特定情報Ｄ２により特定される画面Ｇ［ｉｊ］を表示部２１に表示するとともに、画面情報Ｄに含まれる画像データ情報Ｄ１により表される画像ｇ［ｉｊ］を画面Ｇ［ｉｊ］の手前に重ねて表示する。このようにすることで、表示部２１に表示されている画面Ｇ［ｉｊ］と同じ種類の画面Ｇ［ｉｊ］に対応する画像ｇ［ｉｊ］を手前に表示するので、この画像ｇ［ｉｊ］を参照しつつ表示部２１に表示されている画面Ｇ［ｉｊ］を確認することができる。
【００７９】
また、画面情報Ｄが生成されたとき、当該画面情報Ｄに含まれる画像データ情報Ｄ１により表される画像ｇ［ｉｊ］を表示部２１に表示されている画面Ｇ［ｉｊ］の手前に重ねて表示する。このようにすることで、画面情報Ｄに含めて出力する画像データ情報Ｄ１により表される画像ｇ［ｉｊ］をあらかじめ確認することができるので、誤った画面情報Ｄを出力してしまうことを抑制できる。
【００８０】
また、画像データ情報Ｄ１により表される画像ｇ［ｉｊ］を表示部２１に表示されている画面Ｇ［ｉｊ］の大きさより縮小して表示する。このようにすることで、手前に表示されている画像ｇ［ｉｊ］の大きさとその背後に表示されている画面Ｇ［ｉｊ］の大きさとを異ならせてこれらを明確に区別することができるので、手前に表示されている画像ｇ［ｉｊ］を操作可能な画面と勘違いしてしまうことを抑制できる。
【００８１】
また、タッチパネル２２に入力された描画操作に応じて画像ｇ［ｉｊ］上に描画し、画面情報Ｄに含まれる画像データ情報Ｄ１を、描画された画像ｇ［ｉｊ］を表す新たな画像データ情報Ｄ１に更新する。このようにすることで、例えば、画像ｇ［ｉｊ］に描画することで注目すべき箇所を目立たせることができるので、使用方法の説明をより一層効率的に行うことができる。
【００８２】
また、タッチパネル２２に入力された画像消去操作に応じて画像ｇ［ｉｊ］の一部または全部を消去することができる。このようにすることで、例えば、消去した部分にメモを書き込むことができるので、使用方法の説明をより一層効率的に行うことができる。
【００８３】
本実施形態によれば、使用方法の説明をより効率的に行うことができる
【００８４】
上述した実施形態では、画面キャプチャーボタン２１ｅ１および画像読込ボタン２１ｅ２をソフトウエア操作スイッチとして実現するものであったが、これに限定されるものではなく、これらボタンの機能を多機能操作スイッチ４１〜５０などのハードウエア操作スイッチに割り当ててもよい。
【００８５】
また、上述した実施形態では、複数種類の画面Ｇ［ｉｊ］に対応する操作ボタンＳ［ｉｊ］をマトリクス配置した画面選択メニューＧｍにより画面を選択する構成であったが、これに限定されるものではない。例えば、階層構造を有する画面選択メニューにより画面を選択する構成であってもよい。
【００８６】
また、上述した実施形態では、プラスチックなどの樹脂材料を金型に射出する射出成形機であったが、これに限定するものではない。射出成形機以外にも、例えば、金属材料を金型に圧入するダイカストマシンなど、成形品の材料を金型に注入する成形機であれば、本発明を適用可能である。さらには、成形機以外にも、表示操作装置および工作装置を備える工作機械に本発明を適用できる。
【００８７】
上記に本発明の本実施形態を説明したが、本発明はこれらの例に限定されるものではない。前述の実施形態に対して、当業者が適宜、構成要素の追加、削除、設計変更を行ったものや、実施形態の特徴を適宜組み合わせたものも、本発明の要旨を備えている限り、本発明の範囲に含まれる。
【符号の説明】
【００８８】
１…射出成形機（成形機、工作機械）、１０…成形装置（工作装置）、２０…表示操作装置、２１…表示部、２１ａ…画面タイトル領域、２１ｂ…モニター値表示領域、２１ｃ…メイン画面領域、２１ｄ…サブ画面領域、２１ｅ…操作スイッチ領域、２１ｆ…機能ラベル表示領域、２１ｅ１…画面キャプチャーボタン、２１ｅ２…画像読込ボタン、２２…タッチパネル（操作部）、４１…多機能操作スイッチ、５１…モード操作スイッチ、５６…共用操作スイッチ、５７…ＬＥＤ、５７ａ…発光部、５８…入出力部（画面情報出力部、画面情報入力部）、６０…制御部（表示制御部、画面情報生成部）、７０…ケース、７１…正面部、７２…下縁部、７３…側縁部、９０…キャプチャー画像表示ウインドウ、９１…タイトル領域、９１ａ…クローズボタン、９２…画像表示領域、９３…描画ツールウインドウ、９４…タイトル領域、９４ａ…クローズボタン、９５…色指定ボタン、９６…線幅指定ボタン、９７…消去ボタン、９８…画像保存ボタン、１００…読込画像表示ウインドウ、１０１…タイトル領域、１０１ａ…クローズボタン、１０２…画像表示領域、Ｄ…画面情報、Ｄ１…画像データ情報、Ｄ２…画面特定情報、Ｆ…操作体、Ｆ１…第１の機能グループ、Ｆ２…第２の機能グループ、Ｇ…画面、Ｇｍ…画面選択メニュー、Ｍ１〜Ｍ４…線画、Ｓ…操作ボタン、Ｔ１〜Ｔ１０…画面グループ、ｇ…画像。
【図１】
2017189938.tif 000003
【図２】
2017189938.tif 000004
【図３】
2017189938.tif 000005
【図４】
2017189938.tif 000006
【図５】
2017189938.tif 000007
【図６】
2017189938.tif 000008
【図７】
2017189938.tif 000009
【図８】
2017189938.tif 000010
【図９】
2017189938.tif 000011
【図１０】
2017189938.tif 000012